(57)【要約】【課題】スピーカの低音域の出力特性の変更を支援するガイドを表示するテレビを提供する。【解決手段】テレビ３００は、ディスプレイ３３０と、スピーカ３４０ａ，３４０ｂとを備える。テレビ３００は、リモコン端末３９０によって発信される信号を介して、テレビ３００が設置される場所その他の情報の入力を受けて、その情報に基づいてスピーカ３４０ａ，３４０ｂが使用する音響管の取り付けあるいは取り外しを促す情報を表示する。【選択図】図３
2008182415.tif 000002
【特許請求の範囲】
【請求項１】
テレビジョン受信装置であって、
音響管の着脱が可能なスピーカと、
前記テレビジョン受信装置が設置される候補となる複数の場所の各々の種類を特定する各種類データと、前記スピーカに出力される音声の複数の周波数の各々に対応する複数の音声出力モードの各々を規定する各モードデータと、前記スピーカを構成する音響管の長さと、各前記種類データと各前記モードデータと前記スピーカの音響管の長さとの関係を規定するマップデータとを格納するメモリと、
前記テレビジョン受信装置が設置される場所を特定する場所データと、いずれかの前記音声出力モードとの入力を受ける入力インターフェイスと、
前記マップデータと、入力された前記場所データおよび前記音声出力モードとに基づいて、前記スピーカの音響管の長さの過不足を確認する処理を実行するプロセッサと、
前記プロセッサによる確認の結果を表示するディスプレイとを備える、テレビジョン受信装置。
【請求項２】
音声出力の設定を支援するための支援装置であって、
音声を出力する音声出力部と、
前記音声出力部による音声の出力を制御するために予め規定された制御データを格納する記憶手段と、
前記音声出力部の動作を規定する設定値の入力を受ける入力手段と、
入力された前記設定値が前記制御データによって規定される音声の出力態様に対応するか否かを確認する確認手段と、
前記確認手段による確認の結果を出力する出力手段とを備える、支援装置。
【請求項３】
前記確認手段は、前記予め規定された制御データと、入力された前記設定値とを比較することにより、前記設定値が前記音声の出力態様に対応するか否かを確認する、請求項２に記載の支援装置。
【請求項４】
前記出力手段は、前記確認の結果を表わす画面を表示する表示手段を含む、請求項２に記載の支援装置。
【請求項５】
前記音声出力部に対しては、音響管の着脱が可能であり、
前記表示手段は、前記音響管の取り付けおよび取り外しの少なくともいずれかを促す画面を表示する、請求項４に記載の支援装置。
【請求項６】
前記確認手段は、前記確認の結果を表わす音声信号を生成する生成手段を含み、
前記出力手段は、前記音声信号を前記音声出力部に送出する出力インターフェイス手段を含む、請求項２に記載の支援装置。
【請求項７】
前記音声出力部に対しては、音響管の着脱が可能であり、
前記生成手段は、前記音響管の取り付けおよび取り外しの少なくともいずれかを促す音声信号を生成する、請求項６に記載の支援装置。
【請求項８】
前記出力手段は、前記確認の結果を表わす光を発する発光手段を含む、請求項２に記載の支援装置。
【請求項９】
前記音声出力部に対しては、音響管の着脱が可能であり、
前記発光手段は、前記音響管の取り付けを促す光と、取り外しを促す光とを区別して発光する、請求項８に記載の支援装置。
【発明の詳細な説明】
【技術分野】
【０００１】
本発明は音声出力の設定に関し、特に、音声出力の設定を支援する技術に関する。
【背景技術】
【０００２】
スピーカから出力される低音は、音響管の構成によって異なる。たとえば、特開平４−３３６７９５号公報（特許文献１）は、音響管の共振周波数が変更可能であって、高次モードの共鳴音の発生を抑え、内部損失が大きい音響管を開示している。
【０００３】
また、特開２００５−３１１９０８号公報（特許文献２）は、サブウーファーの増設なしに既存のスピーカよりも大口径のウーファー並みの低音再生特性が得られる低音再生スピーカ装置を開示している。
【０００４】
また、特開２００５−４５６１５号公報（特許文献３）は、可変ダクトの調整が可能で低音共振周波数および低音共振周波数以下の再生限界の周波数特性を調整する技術を開示している。
【０００５】
また、特開２００５−２７２８６号公報（特許文献４）は、スピーカユニットの構造を変えずに出力音圧レベルを確保しながら、小型キャビネットで低音再生の可能なスピーカ装置を開示している。
【０００６】
さらに、特開平９−７４５９５号公報（特許文献５）は、スピーカから放出される音の音質を自由に変化させることが可能なスピーカ装置を開示している。
【特許文献１】特開平４−３３６７９５号公報
【特許文献２】特開２００５−３１１９０８号公報
【特許文献３】特開２００５−４５６１５号公報
【特許文献４】特開２００５−２７２８６号公報
【特許文献５】特開平９−７４５９５号公報
【発明の開示】
【発明が解決しようとする課題】
【０００７】
音響管の長さは、たとえば、スピーカが設置される部屋の広さ、使用者の好みなどに応じて変更される。しかしながら、スピーカに関する詳細な知識を有しない一般の使用者は、どのレベルから音響管の長さを長くして低音を増強することが適正であるか容易に判断できない。そのため、誤った長さの音響管が追加された場合には、低音域が過度に強調され、意図しない音質の低音が発せられる恐れもあった。
【０００８】
また、特に、テレビジョン受信装置から出力される音声の品質に対する要求もあるが、一般使用者では、品質が向上するような出力設定を容易にできない場合もあった。
【０００９】
本発明は、上述の問題点を解決するためになされたものであって、その目的は、音声出力の設定を支援することができるテレビジョン受信装置を提供することである。他の目的は、音声出力の設定を支援するための支援装置を提供することである。
【課題を解決するための手段】
【００１０】
上記の課題を解決するために、この発明のある局面に従うテレビジョン受信装置は、音響管の着脱が可能なスピーカと、テレビジョン受信装置が設置される候補となる複数の場所の各々の種類を特定する各種類データと、スピーカに出力される音声の複数の周波数の各々に対応する複数の音声出力モードの各々を規定する各モードデータと、スピーカを構成する音響管の長さと、各種類データと各モードデータとスピーカの音響管の長さとの関係を規定するマップデータとを格納するメモリと、テレビジョン受信装置が設置される場所を特定する場所データと、いずれかの音声出力モードとの入力を受ける入力インターフェイスと、マップデータと、入力された場所データおよび音声出力モードとに基づいて、スピーカの音響管の長さの過不足を確認する処理を実行するプロセッサと、プロセッサによる確認の結果を表示するディスプレイとを備える。
【００１１】
好ましくは、音声出力の設定を支援するための支援装置が提供される。この支援装置は、音声を出力する音声出力部と、音声出力部による音声の出力を制御するために予め規定された制御データを格納する記憶手段と、音声出力部の動作を規定する設定値の入力を受ける入力手段と、入力された設定値が制御データによって規定される音声の出力態様に対応するか否かを確認する確認手段と、確認手段による確認の結果を出力する出力手段とを備える。
【００１２】
好ましくは、確認手段は、予め規定された制御データと、入力された設定値とを比較することにより、設定値が音声の出力態様に対応するか否かを確認する。
【００１３】
好ましくは、出力手段は、確認の結果を表わす画面を表示する表示手段を含む。
好ましくは、音声出力部に対しては、音響管の着脱が可能である。表示手段は、音響管の取り付けおよび取り外しの少なくともいずれかを促す画面を表示する。
【００１４】
好ましくは、確認手段は、確認の結果を表わす音声信号を生成する生成手段を含む。出力手段は、音声信号を音声出力部に送出する出力インターフェイス手段を含む。
【００１５】
好ましくは、音声出力部に対しては、音響管の着脱が可能である。生成手段は、音響管の取り付けおよび取り外しの少なくともいずれかを促す音声信号を生成する。
【００１６】
好ましくは、出力手段は、確認の結果を表わす光を発する発光手段を含む。
好ましくは、音声出力部に対しては、音響管の着脱が可能である。発光手段は、音響管の取り付けを促す光と、取り外しを促す光とを区別して発光する。
【発明の効果】
【００１７】
本発明に係るテレビジョン受信装置によると、音声の出力に関する知識を有さない一般の使用者であっても、音声出力の設定を変更することができる。
【発明を実施するための最良の形態】
【００１８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１９】
最初に、図１を参照して、スピーカの音声出力特性について説明する。図１は、周波数と音声出力のレベルとの関係を表わす図である。スピーカの音声出力特性は、たとえば出力レベルがフラットである特性１００と、低音の出力特性がブーストされた特性１２０とによって表わされる。図１に示される例では、特性１００のレベルの値はＡであり、特性１２０のレベルの値はＡ＋αである。この場合、ブーストされたレベル（α）は、たとえば閾値１１０として規定される。
【００２０】
図２を参照して、本実施の形態に係る音声出力の設定を支援するための支援装置２００について説明する。図２は、支援装置２００の有する機能の構成を表わすブロック図である。支援装置２００は、主たる機能として、入力部２１０と、設置条件確認部２３０と、設定データ記憶部２２０と、設定ガイド情報出力部２４０とを備える。
【００２１】
ある局面において、支援装置２００は、当該各機能を実現する命令を実行可能なプロセッサと、当該命令を規定するプログラムとによって実現される。他の局面においては、支援装置２００は、当該各機能を実現する回路素子の組み合わせとしてハードウェアとして実現される。
【００２２】
入力部２１０は、支援装置２００の外部からデータの入力を受け付ける。入力部２１０は、ある局面において、リモコン端末（図示しない）によって出力された赤外線信号の受信のための受光部として実現される。また他の局面において、入力部２１０は、支援装置２００の筐体の前面に設けられるボタン（図示しない）として実現される。
【００２３】
設定値は、たとえばスピーカが設置される場所を特定するための場所データと、スピーカによる音声出力のパターンを規定する複数のモードの各々とを含む。
【００２４】
設定データ記憶部２２０は、スピーカによる音声の出力を制御するために予め規定された制御データを格納する。より具体的には、設定データ記憶部２２０は、スピーカが設置される候補となる複数の場所の各々の種類を特定するための種類データと、当該スピーカによる複数の音声出力モードの各々を規定するためのモードデータと、当該スピーカを構成する音響管の長さと、各種類データと各モードデータと各スピーカの音響管の長さとの関係を規定するマップデータとを格納している。設定データ記憶部２２０は、ある局面において、データを不揮発的に格納することができるメモリとして実現される。
【００２５】
設置条件確認部２３０は、支援装置２００に対して入力された設定値が上記制御データによって規定される動作に対応するか否かを確認する。より具体的には、設置条件確認部２３０は、予め規定された上記制御データと、入力された上記設定値とを比較することにより、その設定値が上記動作に対応するか否かを確認する。たとえば、設置条件確認部２３０は、上記マップデータによって特定される音響管の長さが入力された設定値によって算出される音響管の長さと一致するか否かを比較し、差分が生ずる場合には、その差を確認の結果とする。
【００２６】
設定ガイド情報出力部２４０は、設置条件確認部２３０によって生成された確認の結果を、スピーカの設置を支援するためのガイド情報として出力する。ある局面において、設定ガイド情報出力部２４０は、当該確認の結果を表わすための画面を表示するディスプレイとして実現される。ガイド情報として表示される内容は、たとえば、スピーカに音響管を追加することを促すメッセージ、あるいは、スピーカから音響管と取り外すことを促すメッセージを含むが、その他のメッセージが含まれてもよい。たとえば、音響管を取り付けるための詳細な手順が表示されてもよい。
【００２７】
他の局面において、設定ガイド情報出力部２４０は、確認の結果を表わす信号を生成し、その信号を当該スピーカに出力する音声出力インターフェイスとしても実現される。
【００２８】
さらに他の局面において、設定ガイド情報出力部２４０は、設置条件確認部２３０による確認の結果を表わす光を発する発光装置としても実現される。この場合、当該発光装置は、たとえばＲＧＢ（Red Green Blue）の各色を発することができるＬＥＤ（Light Emitting Diode）その他の発光素子によって実現される。この場合、当該発光装置は、音響管の取り付けまたは取り外しを区別する光を発する。たとえば音響管の装着を促す場合には青色の光を発し、音響管の離脱を促す場合には、赤色の光を発する。あるいは、単色の発光素子が使用されて、点灯態様（たとえば、常時点灯、点滅など）が異なっていてもよい。
【００２９】
図３を参照して、本実施の形態に係る支援装置２００の具体的構成について説明する。図３は、支援装置２００として機能するテレビ３００の外観を表わす図である。テレビ３００は、ディスプレイ３３０と、スピーカ３４０ａ，３４０ｂとを備える。テレビ３００の動作は、リモコン端末３９０によって出力される制御信号によって制御される。
【００３０】
テレビ３００は、ディスプレイ３３０において、スピーカ３４０ａ，３４０ｂの設定のためのメニュー画面を表示する。当該メニュー画面は、スピーカ３４０ａ，３４０ｂの設定に影響を与える項目として、たとえば「部屋の広さ」、「家具」、「壁の種類」、「好み」を表示する。
【００３１】
項目「部屋の広さ」は、たとえば予め準備された複数の広さを選択可能な状態で、たとえば予め準備された広さの選択メニューとして表示される。リモコン端末３９０の使用者は、リモコン端末のボタンを操作することにより、その選択可能な候補のいずれかを特定し、確定ボタン（図示しない）を押下することにより、部屋の広さを入力することができる。入力されたデータは、テレビ３００が備えるメモリに格納される。
【００３２】
項目「家具」は、たとえば詳細な設定項目として「多い」、「少ない」、「なし」のいずれかを受け付ける。この場合、当該使用者は、リモコン端末３９０のカーソル移動キー（図示しない）を操作することにより、上記３つの項目のいずれかを選択することができる。選択を表わすデータは、当該メモリに格納される。
【００３３】
項目「壁の種類」は、その詳細項目として、たとえば「木材」、「コンクリート」を含む。この場合、リモコン端末３９０の使用者は、上記カーソルキーを操作し、その詳細項目のいずれかを選択することができる。
【００３４】
項目「好み」は、詳細項目として「クラシック音楽」、「ジャズ」その他の項目を含む。この場合も、当該使用者は、リモコン端末３９０を操作していずれかの詳細項目を選択することができる。
【００３５】
なお、ディスプレイ３３０に表示される項目は、あくまで例示であって、その他の項目が使用されてもよい。たとえばテレビ３００が使用される時間帯、視聴者の人数などが項目として使用されてもよい。また、各項目について設定される詳細項目は、ディスプレイ３３０に表示される場合、あるいは区分に限られず、さらに詳細の項目が設定されてもよい。また、ディスプレイ３３０に表示される項目は、固定されるものではなく、追加、削除、変更が可能であってもよい。たとえば、テレビ３００の使用者がリモコン端末３９０を操作することにより、項目を変更し、あるいは削除することができる。
【００３６】
次に、図４を参照して、テレビ３００の具体的構成について説明する。図４は、テレビ３００のハードウェア構成を表わすブロック図である。テレビ３００は、外部入力部３０４と、受光部３０６と、操作部３０８と、ＣＰＵ（Central Processing Unit）３１０と、チューナ３１４と、切換回路３１６と、信号処理回路３２０と、表示ドライバ３２８と、アンプ３３６ａ，３３６ｂとを備える。ＣＰＵ３１０は、メモリ３１２を含む。信号処理回路３２０は、分離回路３２２とＯＳＤ（On Screen Display）回路３２４とを含む。チューナ３１４には、アンテナ３０２が接続される。
【００３７】
アンテナ３０２によって受信されたテレビジョン信号は、チューナ３１４に送出される。チューナ３１４は、ＣＰＵ３１０からの選択指示に基づいて特定のチャンネルを選択し、選択されたチャンネルで取得された信号を切換回路３１６に送出する。
【００３８】
外部入力部３０４は、テレビ３００に接続される他の映像信号出力装置（たとえばハードディスクレコーダ、ＤＶＤ（Digital Versatile Disc）プレーヤその他の再生装置）の信号の入力を受け付ける。外部入力部３０４は、その信号を切換回路３１６に送出する。
【００３９】
受光部３０６は、リモコン端末３９０によって発信された赤外線信号を受信し、その信号に応じたデータをＣＰＵ３１０に送出する。
【００４０】
操作部３０８は、テレビ３００の筐体の前面に設けられるボタンである。操作部３０８は、その操作に応じた信号をＣＰＵ３１０に送出する。
【００４１】
ＣＰＵ３１０は、テレビ３００に対して与えられる指示に基づいて、あるいは内部において検出した条件に基づいて、テレビ３００の動作を制御するための命令を生成し、その命令に応じた制御信号を他のハードウェアに送出する。内部において検出した条件は、たとえば、テレビ３００がタイマ機能を有する場合における設定時刻が到来したことであるが、他の条件が規定されてもよい。
【００４２】
メモリ３１２は、本実施の形態に係るテレビ３００の動作を規定するデータを格納する。このデータ構造は後述する。
【００４３】
切換回路３１６は、ＣＰＵ３１０からの制御信号に基づいて、信号の入力源をチューナ３１４と外部入力部３０４との間で切り換えて、いずれかの信号を信号処理回路３２０に送出する。
【００４４】
信号処理回路３２０は、ＣＰＵ３１０から送られる制御信号に基づいて、切換回路３１６から出力された映像音声信号を映像信号と音声信号とに分離する。より具体的には、信号処理回路３２０において、分離回路３２２は、信号処理回路３２０に入力された信号を映像信号と音声信号とに分離する。分離によって取得された映像信号は、ＯＳＤ回路３２４に入力される。一方、音声信号は、アンプ３３６ａ，３３６ｂに送出される。
【００４５】
ＯＳＤ回路３２４は、分離回路３２２から与えられた映像信号に基づいて、ディスプレイ３３０に文字情報を表示するための信号を生成する。文字情報は、たとえば、選択されているチャンネルの番号、テレビ３００の出力音量レベル、スピーカ３４０ａ，３４０ｂに対する設定の変更の有無を表わす画像等であるが、これに限られない。
【００４６】
ある局面において、ＯＳＤ回路３２４は、ＣＰＵ３１０から与えられた指令に基づいて、ディスプレイ３３０に表示されるチャンネル番号、その他のガイド表示のための画像信号を映像信号に重畳し、その重畳により生成された後の信号を表示ドライバ３２８に送出する。
【００４７】
表示ドライバ３２８は、信号処理回路３２０から出力された信号をディスプレイ３３０における映像の表示に応じた信号に変換し、ディスプレイ３３０に送出する。
【００４８】
アンプ３３６ａ，３３６ｂは、ＣＰＵ３１０から与えられる指令に応じて音声信号を増幅し、増幅された信号をスピーカ３４０ａ，３４０ｂに送出する。
【００４９】
次に、図５および図６を参照して、本実施の形態に係るテレビ３００のデータ構造について説明する。図５は、メモリ３１２におけるデータの格納の一態様を概念的に表わす図である。図６は、メモリ３１２におけるプログラムの格納の一態様を概念的に表わす図である。
【００５０】
図５を参照して、メモリ３１２は、データを格納するための複数のメモリ領域を含む。音声出力モードを表わすデータは、メモリ領域５１０に格納されている。各音声出力モードに対応して規定される周波数特性を特定するためのデータは、メモリ領域５２０に格納されている。
【００５１】
メモリ領域５２０に格納されている周波数特性の各々について予め規定されたマップデータは、メモリ領域５４０ａ，５４０ｂなどに格納されている。たとえば、データセット５３０ａに対応するメモリ領域５４０ａは、第１のパターンを表わすマップデータとして、周波数と音声出力レベル（デシベル値）との対応付けを表わすデータをそれぞれ格納する。同様に、データセット５３０ｂに対応するマップデータは、メモリ領域５４０ｂに格納されている。
【００５２】
図５に示される例では、音声出力モード（メモリ領域５１０）として、「クラシック」、「ジャズ」、「コンサート」、「映画」が用いられているが、その他の項目が音声出力モードとして使用されてもよい。たとえば、「ニュース」、「ポップス」などが用いられてもよい。この場合、メモリ領域５２０に格納される周波数特性は、上記「第１のパターン」から「第４のパターン」とは異なるパターンが使用されてもよく、またいずれかの周波数特性が複数の音声出力モードに共通して用いられてもよい。異なる項目として、デジタル放送される信号が、番組の属性を表わすデータを含む場合には、当該属性に応じた項目が使用されてもよい。
【００５３】
また、メモリ領域５１０およびメモリ領域５２０に格納されているデータの対応付けあるいはマップデータとして規定されているデータ（メモリ領域５４０ａ，５４０ｂ）は、テレビ３００の使用者がリモコン端末３９０を操作することにより変更可能であってもよい。
【００５４】
図６を参照して、ガイド表示プログラムは、メモリ領域６１０に格納されている。ファームウェアは、メモリ領域６２０に格納されている。
【００５５】
ガイド表示プログラム６１０は、具体的には、図３に示される「スピーカ設定メニュー」の表示を実現するためのプログラムである。テレビ３００の使用者がリモコン端末３９０を操作して、設定メニューの開始を指示すると、ＣＰＵ３１０は、受光部３０６を介してその指示を検知する。ＣＰＵ３１０は、メモリ３１２にアクセスして、メモリ領域６１０からガイド表示プログラムを実行領域にロードし、そのプログラムに応じた命令を実行する。
【００５６】
ファームウェアは、テレビ３００の基本的な動作を制御する。基本的な動作は、たとえばチャンネルの選局、映像あるいは音声の変更のための処理、タイマ機能などを含む。
【００５７】
図７を参照して、本実施の形態に係るテレビ３００の制御構造について説明する。図７は、テレビ３００のＣＰＵ３１０が実行する一連の動作の一部を表わすフローチャートである。
【００５８】
ステップＳ７１０にて、ＣＰＵ３１０は、受光部３０６から送られる信号に基づいて、スピーカ設定メニューの表示指示の入力を検知する。ステップＳ７２０にて、ＣＰＵ３１０は、受光部３０６から送られる信号に基づいて、データの入力を検知する。入力されるデータは、部屋の広さ、家具の多少、壁の材質、音声出力モードの種類などを含む。具体的には、図３のディスプレイ３３０に示されるような項目に対応するデータがＣＰＵ３１０に入力される。
【００５９】
ステップＳ７３０にて、ＣＰＵ３１０は、設置条件確認部２３０として、入力された当該データとメモリ３１２に格納されているマップデータ（メモリ領域５４０ａ，５４０ｂなど）とを比較して、音響管の長さを特定する。ステップＳ７４０にて、ＣＰＵ３１０は、その特定された音響管の長さと、スピーカ３４０ａ，３４０ｂに既に備え付けられている音響管の長さとの差を算出する。ここで既存の音響管の長さは、たとえばメモリ３１２に格納されている。テレビ３００の製造時あるいは、音響管の設定変更に関するガイド表示に従って行なわれた場合において、設定変更の完了の通知が使用者によってテレビ３００に入力されたとき、音響管の長さを表わすデータは、更新可能なものでもよい。
【００６０】
ステップＳ７５０にて、ＣＰＵ３１０は、その特定された音響管の長さと既存の音響管の長さとの差が０であるか否か（すなわち、テレビ３００の設置状況に応じて規定される長さと実際の長さとが一致するか否か）を判定する。ＣＰＵ３１０は、その差が０であると判定すると（ステップＳ７５０にてＹＥＳ）、制御をステップＳ７６０に切り換える。そうでない場合には（ステップＳ７５０にてＮＯ）、ＣＰＵ３１０は、制御をステップＳ７７０に切り換える。
【００６１】
ステップＳ７６０にて、ＣＰＵ３１０は、スピーカ３４０ａ，３４０ｂに対する音響管の長さは変更不要であることを表わすメッセージ信号を生成する命令を、ＯＳＤ回路３２４に与える。ＯＳＤ回路３２４は、その命令に応じてそのメッセージ信号を生成する。
【００６２】
ステップＳ７７０にて、ＣＰＵ３１０は、算出された差に相当する音響管を追加することを促すためのメッセージ信号を生成する命令を、ＯＳＤ回路３２４に与える。ＯＳＤ回路３２４は、その命令に応じてそのメッセージ信号を生成する。
【００６３】
ステップＳ７８０にて、ＣＰＵ３１０は、ステップＳ７６０またはステップＳ７７０において生成されたメッセージ信号に基づく画面をディスプレイ３３０に表示させる。その結果、テレビ３００のディスプレイ３３０は、たとえば「音響管を追加して下さい」あるいは「音響管の変更は不要です」と表わす画像を表示する。テレビ３００の使用者は、その表示を参照することにより、選択した音声出力モード（たとえばクラシック、ジャズ、コンサート、映画（メモリ領域５１０）のいずれか）に応じた音響管の変更の要否を容易に判断することができる。
【００６４】
ここで、図８を参照して、本実施の形態に係るテレビ３００が使用するスピーカの構成について説明する。図８は、スピーカ３４０ａの断面を表わす図である。
【００６５】
スピーカ３４０ａは、予め構成された要素として、ケーブル８１０と、音声出力ユニット８２０と、音響管８３０とを含む。これらの構成は、テレビ３００の製造時に予め使用される。スピーカ３４０ａは、さらに上記確認処理の結果に応じて追加の音響管として音響管８４０および／または音響管８５０の着脱が可能である。音響管８４０，８５０は、テレビ３００の付属品として、製造者によって供給される。
【００６６】
音響管８４０，８５０は、テレビ３００の使用者が容易に取り付けられる構造となっている。たとえば、音響管８４０は、フランジ部を有しており、そのフランジ部は、既存の音響管８３０の開口部に装着可能なように形成されている。同様に、音響管８５０はフランジ部を有しており、そのフランジ部は、音響管８４０の当該フランジ部とは異なる開口部に装着可能なように構成されている。なお、着脱可能な音響管８４０，８５０の取り付け態様は、開口部の嵌めあいによるものに限られない。ねじその他の取り付け手段によって着脱可能に構成されていてもよい。
【００６７】
なお、スピーカ３４０ａに追加で着脱される音響管の数は、図８に示されるものに限られない。また、音響管８４０，８５０の長さは、同一の長さである必要はない。たとえば、音声の出力パターンに応じて変更すべき音響管として、予め規定された異なる長さの音響管が使用されてもよい。
【００６８】
また、音響管の数は、音声出力モードに応じて予め特定される。たとえば、テレビ３００が市販される場合には、その特定された数に応じた音響管が付属品として、テレビ３００に添付される。
【００６９】
以上のようにして、本実施の形態に係るテレビ３００は、音響管の設定の変更の情報を提供する支援装置として機能するＣＰＵ３１０を備える。ＣＰＵ３１０は、受光部３０６または操作部３０８に対して与えられた操作入力に応じて、スピーカ３４０ａ，３４０ｂの音響管の設定の変更の要否を判定する。具体的には、ＣＰＵ３１０は、メモリ３１２に格納されているデータと、当該操作入力に対応して特定されるデータとを比較することにより、既にスピーカ３４０ａ，３４０ｂに設置されている音響管の長さと、操作入力に応じて特定される音響管の長さ（すなわち、使用者が設定しようとする音響管の長さ）とが一致しているか否かを判定する。ＣＰＵ３１０は、判定の結果および、どのような音響管を追加すべきかを表わすメッセージをディスプレイ３３０に表示させる。
【００７０】
このような構成により、テレビ３００の使用者は、音声の出力特性を変更するための設定を入力した場合に、ディスプレイ３３０に表示されるメッセージに従って、音響管の取り付けあるいは取り外しを容易に行なうことができる。
【００７１】
＜変形例＞
以下、本実施の形態の変形例について説明する。本変形例に係る支援装置は、スピーカの設定のガイド出力が実現される装置とは別の装置における音声出力の設定を可能とする点で、前述の実施の形態に係るテレビ３００と異なる。すなわち、本変形例に係るテレビ９００は、音声出力の設定を導くための表示のみを行なう。実際にその表示に従って設定が変更されるスピーカは、テレビ９００とは別に構成される。
【００７２】
図９を参照して、本変形例に係るテレビ９００の使用態様について説明する。図９は、スピーカに接続されたテレビ９００における画面の表示を表わす図である。
【００７３】
テレビ９００は、ケーブルを介してスピーカ９４０ａ，９４０ｂに接続される。テレビ９００は、ディスプレイ９３０を含む。スピーカ９４０ａ，９４０ｂは、たとえば、低音域用スピーカ（ｗｏｏｆｅｒ）、中音域用スピーカ（ミッドレンジ、ｓｑｕａｗｋｅｒ）、および高音域用スピーカ（ｔｗｅｅｔｅｒ）を含む。
【００７４】
ディスプレイ９３０は、スピーカ９４０ａ，９４０ｂの設定を支援するためのメニュー画面を表示する。具体的には、ディスプレイ９３０は、低音域用スピーカの音響管の設定を変更するためのメニュー画面を表示する。当該メニュー画面は、図３に示される項目に加えて、テレビ９００の右スピーカおよび左スピーカの各々の設定について項目の変更を可能とするための画面を表示する。具体的には、テレビ９００の使用者は、リモコン端末（たとえば図３に示されるリモコン端末３９０）を操作することにより、テレビ９００の右に設置されるスピーカ９４０ａあるいは左に設置されるスピーカ９４０ｂのいずれかの設定もしくは、スピーカ９４０ａおよび９４０ｂの両方を設定変更するための操作を行なうことができる。その他の項目（「部屋の広さ」、「家具」、「壁の種類」、「好み」）は、図３に示されるものと同じである。
【００７５】
以上のようにして、本変形例に係るテレビ９００によると、使用者は、ディスプレイ９３０に表示される内容をみて、スピーカ９４０ａ，９４０ｂの構成を変更することができる。これにより、スピーカ９４０ａ，９４０ｂの出力特性その他の音声出力に関する知識を有さない使用者であっても、容易にスピーカ９４０ａ，９４０ｂの構成を変更することができる。
【００７６】
ここで、図１０を参照して、本実施の形態に係るテレビ３００がガイド情報を表示する態様について説明する。図１０は、スピーカ設定ガイドの表示を表わす図である。
【００７７】
図１０において、画面（Ａ）は、２つの音響管８４０，８５０を取り付ける場合に表示されるガイド情報を表わす。画面（Ｂ）は、既に音響管８４０が取り付けられている場合に、音響管８４０に代えて音響管８５０の取付けを促す画面を表わす。
【００７８】
使用者は、このような表示を見ることにより、具体的にどの音響管を取り付けるべきか、あるいは、取り外すべきかを知ることができる。これにより、スピーカの音声出力の特性の設定変更を支援する装置が提供される。
【００７９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００８０】
本発明は、ディスプレイを有する装置、たとえば、テレビ、コンピュータシステムにおいて実現される。
【図面の簡単な説明】
【００８１】
【図１】周波数と音声出力のレベルとの関係を表わす図である。
【図２】本発明の実施の形態に係る音声出力の設定を支援するための支援装置２００の有する機能の構成を表わすブロック図である。
【図３】支援装置２００として機能するテレビ３００の外観を表わす図である。
【図４】テレビ３００のハードウェア構成を表わすブロック図である。
【図５】メモリ３１２におけるデータの格納の一態様を概念的に表わす図である。
【図６】メモリ３１２におけるプログラムの格納の一態様を概念的に表わす図である。
【図７】テレビ３００のＣＰＵ３１０が実行する一連の動作の一部を表わすフローチャートである。
【図８】スピーカ３４０ａの断面を表わす図である。
【図９】スピーカに接続されたテレビ９００における画面の表示を表わす図である。
【図１０】スピーカ設定ガイドの表示を表わす図である。
【符号の説明】
【００８２】
１００，１２０  特性、１１０  閾値、２００  支援装置、３００，９００  テレビ、３０２  アンテナ、３９０  リモコン端末、８１０  ケーブル、８２０  音声出力ユニット、８３０，８４０，８５０  音響管、９３０  テレビ、９４０ａ，９４０ｂ  スピーカ。
【図１】
2008182415.tif 000003
【図２】
2008182415.tif 000004
【図３】
2008182415.tif 000005
【図４】
2008182415.tif 000006
【図５】
2008182415.tif 000007
【図６】
2008182415.tif 000008
【図７】
2008182415.tif 000009
【図８】
2008182415.tif 000010
【図９】
2008182415.tif 000011
【図１０】
2008182415.tif 000012